(57)【要約】【課題】室内の空気を効果的に清浄化することができる室内空気清浄化システムを提供する。【解決手段】ニオイセンサー１３とホコリセンサー１４と室内換気機構８と循環式空気清浄機構１１，１２と制御装置１６とが備えられ、制御装置１６は、各センサー１３，１４によって検知される室内のニオイ汚染度とホコリ汚染度とがいずれも閾値内であるとき循環式空気清浄機構１２を弱で運転し、ニオイ汚染度が閾値内でホコリ汚染度が閾値を越えたとき循環式空気清浄機構１２を強で運転し、ニオイ汚染度が閾値を越えたとき室内換気機構８を運転する制御を行う。【選択図】      図１
2006097998.tif 000002
【特許請求の範囲】
【請求項１】
室内のニオイを検知するニオイセンサーと、
室内のホコリを検知するホコリセンサーと、
室内換気機構と、
ニオイとホコリを除去する循環式空気清浄機構と、
前記各センサーによって検知される室内のニオイ汚染度とホコリ汚染度とがいずれも閾値内であるとき循環式空気清浄機構を弱で運転し、ニオイ汚染度が閾値内でホコリ汚染度が閾値を越えたとき循環式空気清浄機構を強で運転し、ニオイ汚染度が閾値を越えたとき室内換気機構を運転する制御を行う第１制御モードを備えた制御手段と
が備えられていることを特徴とする室内空気清浄化システム。
【請求項２】
室内の湿度を検知する湿度センサーが備えられ、
前記制御手段は、
湿度センサーによって検知される室内の湿度が閾値内であるとき、前記第１制御モードと同じ制御を行い、室内の湿度が閾値を越えたとき、換気機構を運転状態に保持し、その保持状態において、ホコリ汚染度が閾値内なら循環式空気清浄機構を弱で運転し、ホコリ汚染度が閾値を越えたなら循環式空気清浄機構を強で運転する制御を行う冬期用の第２制御モードを備え、かつ、
制御モードを切り換える切換え手段が備えられている請求項１に記載の室内空気清浄化システム。
【請求項３】
室内の湿度を検知する湿度センサーが備えられ、
前記制御手段は、
湿度センサーによって検知される室内の湿度が閾値内であるとき、前記第１制御モードと同じ制御を行い、室内の湿度が閾値を越えたとき、換気機構を運転停止状態に保持し、その保持状態において、ニオイの汚染度及び／又はホコリの汚染度が閾値を越えたなら循環式空気清浄機構を強で運転する制御を行い、ニオイの汚染度とホコリの汚染度がいずれも閾値内なら循環式空気清浄機構を弱で運転する制御を行う梅雨期用の第３制御モードを備え、かつ、
制御モードを切り換える切換え手段が備えられている請求項１又は２に記載の室内空気清浄化システム。
【発明の詳細な説明】
【技術分野】
【０００１】
本発明は、室内空気清浄化システムに関する。
【背景技術】
【０００２】
従来より、種々の空気清浄システムや、換気システムが提供されているが、ニオイとホコリの性質の違いをうまく捉えて、室内の空気を効果的に清浄化できるようにした空気清浄システムは見当たらない。
【発明の開示】
【発明が解決しようとする課題】
【０００３】
本発明は、かかる技術背景において、室内の空気を効果的に清浄化することができる室内空気清浄化システムを提供することを課題とする。
【課題を解決するための手段】
【０００４】
上記の課題は、室内のニオイを検知するニオイセンサーと、
室内のホコリを検知するホコリセンサーと、
室内換気機構と、
ニオイとホコリを除去する循環式空気清浄機構と、
前記各センサーによって検知される室内のニオイ汚染度とホコリ汚染度とがいずれも閾値内であるとき循環式空気清浄機構を弱で運転し、ニオイ汚染度が閾値内でホコリ汚染度が閾値を越えたとき循環式空気清浄機構を強で運転し、ニオイ汚染度が閾値を越えたとき室内換気機構を運転する制御を行う第１制御モードを備えた制御手段と
が備えられていることを特徴とする室内空気清浄化システムによって解決される。
【０００５】
このシステムでは、ニオイについては、その汚染度が高いと循環式空気清浄機構ではなかなか除去されず、除去に長時間を要して、循環式空気清浄機構の運転負担だけを大きくしてしまう性質があることに着目し、ニオイの汚染度が閾値内であるときは循環式空気清浄機構でニオイの除去を行うが、ニオイの汚染度が閾値を越えて高いときは室内換気機構で室内を換気する制御を行うようにしたものである。これにより、ニオイの汚染度が閾値を越えたとき、循環式空気清浄機構の運転負担を小さく抑えながら、室内のニオイを換気によって効果的に除去することができる。
【０００６】
また、ホコリについては、その汚染度が高ければ循環式空気清浄機構を強で運転し、低ければ循環式空気清浄機構を弱で運転すれば、いずれの場合も、室内のホコリを短時間で容易に除去することができる性質をもっている点に着目し、ホコリ汚染度が閾値内であるとき循環式空気清浄機構を弱で運転し、ホコリ汚染度が閾値を越えたとき循環式空気清浄機構を強で運転する制御を行うようにしたものである。これにより、循環式空気清浄機構の運転負担を小さく抑えながら、室内のホコリを循環式空気清浄機構によって効果的に除去することができる。
【０００７】
こうして、上記の室内空気清浄化システムによれば、ニオイとホコリについてその除去の運転方法を異ならせることにより、循環式空気清浄機構の運転負担を小さく抑えながら、ニオイもホコリを短時間で効果的に除去することができる。
【０００８】
上記のシステムにおいて、室内の湿度を検知する湿度センサーが備えられ、
前記制御手段は、
湿度センサーによって検知される室内の湿度が閾値内であるとき、前記第１制御モードと同じ制御を行い、室内の湿度が閾値を越えたとき、換気機構を運転状態に保持し、その保持状態において、ホコリ汚染度が閾値内なら循環式空気清浄機構を弱で運転し、ホコリ汚染度が閾値を越えたなら循環式空気清浄機構を強で運転する制御を行う冬期用の第２制御モードを備えているとよい。
【０００９】
このシステムでは、冬期においても有効的に用いることができる。即ち、冬期に室内の鍋などの調理を行うと、室内の湿度が閾値を超えて高湿状態になってしまうことがある。また、冬期の夜中には寝室の湿度が閾値を超えて高湿状態となってしまうこともある。例えばこれらの場合に、第２制御モードに切り換えておくことで、室内の湿度が閾値を越えると、制御手段は、換気機構を運転する制御を行い、室内の湿度を降下させていく。そして、その換気状態において、室内にニオイによる汚染があるなら、ニオイは上記の換気によってそのまま短時間で効果的に除去される。また、換気ではなかなか除去されにくいホコリの性質に着目し、その換気状態において、ホコリ汚染度が閾値内なら循環式空気清浄機構を弱で運転し、ホコリ汚染度が閾値を越えたなら循環式空気清浄機構を強で運転する制御が行われ、室内のホコリは循環式空気清浄機構によって短時間で効果的に除去される。そして、調理や夜中の寝室等による高湿状態を除けば、第１制御モードに従う制御が行われ、冬期に冷たい外気が室内に送り込まれる不具合を最小限に抑えることができる。
【００１０】
また、上記のシステムにおいて、室内の湿度を検知する湿度センサーが備えられ、
前記制御手段は、
湿度センサーによって検知される室内の湿度が閾値内であるとき、前記第１制御モードと同じ制御を行い、室内の湿度が閾値を越えたとき、換気機構を運転停止状態に保持し、その保持状態において、ニオイの汚染度及び／又はホコリの汚染度が閾値を越えたなら循環式空気清浄機構を強で運転する制御を行い、ニオイの汚染度とホコリの汚染度がいずれも閾値内なら循環式空気清浄機構を弱で運転する制御を行う梅雨期用の第３制御モードを備え、かつ、
制御モードを切り換える切換え手段が備えられているとよい。
【００１１】
このシステムでは、梅雨期においても有効的に用いることができる。即ち、梅雨期は、湿度が閾値を越えて高いと、換気をしても室内に外の湿気が送り込まれるたけで、換気によって湿度を下げることができず、返って湿度を上昇させてしまうこともある。また、ニオイは湿度が高いと強くなる性質を備えており、換気をしてもニオイが低減しない場合がある。ニオイのそのような性質に着目し、梅雨期には、第３制御モードに切り換えておくことで、湿度が閾値を越えたときは、換気機構を運転停止状態に保持し、その保持状態において、循環式空気清浄機構の運転状態をニオイの汚染度とホコリの汚染度に応じて強弱切り換える制御が行われるようにした。これにより、梅雨期で湿度が閾値を越えて高湿である場合であっても、ニオイを効果的に除去することができる。
【発明の効果】
【００１２】
本発明は、以上のとおりのものであるから、室内の空気を効果的に清浄化することができる。
【発明を実施するための最良の形態】
【００１３】
次に、本発明の実施最良形態を図面に基づいて説明する。
【００１４】
図１に示す実施形態の室内空気清浄化システムにおいて、１は空気清浄兼用の換気ユニットであり、該換気ユニット１は、室内２の天井部３に埋め込み状態に備えられており、換気ユニット１の下面部には換気用の吸込み口４が備えられると共に、換気用の排気口５は天井裏に備えられ、該排気口５にダクト６が接続され、ダクト６は図示しない屋外排気口に接続され、そして、室内２には換気ユニット１とは別に給気口７が設けられて、換気ユニット１内の換気用ファン８が駆動することで、室内２が第３種換気により破線矢印で示すように換気されるようになされている。
【００１５】
また、この換気ユニット１の下面部には、空気清浄用の吸込み口９と吹出し口１０とが備えられ、換気ユニット１内には、ニオイとホコリを除去する空気清浄フィルター１１が備えられ、換気ユニット１内の循環ファン１２が駆動することで、実線矢印で示すように、室内空気が吸込み口９から吸い込まれて空気清浄フィルター１１に強制的に通され、吹出し口１０を通じて室内２に戻される空気の循環が行われて室内２が清浄化されるようになされている。
【００１６】
そして、室内２には、ニオイを検知するニオイセンサー１３と、ホコリを検知するホコリセンサー１４と、湿度を検知する湿度センサー１５とが備えられ、これらのセンサー１３，１４，１５からの検知信号が制御手段としての制御装置１６に送られ、制御装置１６は、これら検知信号に基づいて、換気ユニット１に対し、図２に示す第１制御モードによる制御か、図３に示す第２制御モードによる制御か、図４に示す第３モードによる制御を行うようになされており、これらの制御モードの切換えのため、切換え手段として操作盤１７が室内に備えられている。
【００１７】
第１制御モードは、冬期と梅雨期を除いて用いられる通常制御モードで、図２に示すように、ニオイセンサー１３で検知された室内２のニオイ汚染度を読み込み（ステップＳ１）、ニオイ汚染度が閾値内であるか閾値を越えたか否かを判断し（ステップＳ２）、ニオイ汚染度が閾値内であるとき、室内２のホコリ汚染度を読み込み（ステップＳ３）、ホコリ汚染度が閾値内であるか閾値を越えたか否かを判断し（ステップＳ４）、ホコリ汚染度が閾値内であるなら、図５に示す換気ファン８がオフ、空気清浄ファンが弱の制御４の制御を行い（ステップＳ５）、ホコリ汚染度が閾値を超えたなら、図５に示す換気ファン８がオフ、空気清浄ファンが強の制御２の制御を行う（ステップＳ６）。また、ニオイ汚染度が閾値を越えたとき、図５に示す換気ファン８がオン、空気清浄ファンが強の制御１の制御を行う（ステップＳ７）。
【００１８】
第２制御モードは、冬期用のもので、図３に示すように、湿度センサー１５で検知される室内２の湿度を読み込み（ステップＳ８）、湿度が閾値内であるか閾値を越えたか否かを判断し（ステップＳ９）、湿度が閾値内であるとき、上記の第１制御モードと同じ制御を行い、湿度が閾値を越えたとき、ニオイ汚染度を読み込み（ステップＳ１０）、ニオイ汚染度が閾値内であるか閾値を越えたか否かを判断し（ステップＳ１１）、ニオイ汚染度が閾値内であるとき、室内２のホコリ汚染度を読み込み（ステップＳ１２）、ホコリ汚染度が閾値内であるか閾値を越えたか否かを判断し（ステップＳ１３）、ホコリ汚染度が閾値内であるなら、図５に示す換気ファン８がオン、循環ファン１２が弱の制御３の制御を行い（ステップＳ１４）、ホコリ汚染度が閾値を超えたなら、図５に示す換気ファン８がオン、空気清浄ファンが強の制御１の制御を行う（ステップＳ１５）。また、ニオイ汚染度が閾値を越えたとき、図５に示す換気ファン８がオン、空気清浄ファンが強の制御１の制御を行う（ステップＳ１５）。
【００１９】
第３制御モードは、梅雨期用のもので、図４に示すように、湿度が閾値内であるとき上記の第１制御モードと同じ制御を行い、湿度が閾値を越えたとき、ニオイやホコリの汚染度にかかわりなく、換気ファン８はオフに維持し、その場合に、ニオイの汚染度及び／又はホコリの汚染度が閾値を越えたなら循環ファン１２を強（ステップＳ２３）、ニオイの汚染度とホコリの汚染度がいずれも閾値内なら循環ファン１２を弱（ステップＳ２２）の制御を行う。
【００２０】
上記の室内空気清浄化システムでは、湿度がさほど問題とならない春期、夏期（梅雨期を除く）及び秋期には、図２に示す第１制御モードに設定しておくことで、ニオイを換気ファン８の駆動で短時間のうちに効果的に除去することができると共に、ホコリを循環ファン１２の駆動で短時間のうちに効果的に除去することができ、ニオイとホコリについて、それらの性質に応じて除去の方法を使い分けることで、システムの全体の運転負担を小さく抑えながら、ニオイとホコリを効果的に除去することができる。
【００２１】
また、冬期には、図３に示す第２モードに設定を切り換えておくことで、冬期に室内２の鍋などの調理を行って湿度が閾値を越えて高湿状態となったり、冬期の夜中に寝室の湿度が閾値を超えて高湿状態となった場合は、閾値内となるまで、換気ファン８の駆動が行われ、室内２の湿度が降下していく。なお、湿度についての閾値は、例えば６０％に設定される。そして、その換気状態において、室内２にニオイによる汚染があるなら、ニオイは上記の換気によってそのまま短時間で効果的に除去され、ホコリによる汚染があるなら循環ファン１２の駆動が強になって、室内のホコリも短時間で効果的に除去される。そして、調理や夜中の寝室等による高湿状態を除けば、第１制御モードに従う制御が行われて、冬期に冷たい外気が室内２に送り込まれる不具合は最小限に抑えられる。
【００２２】
また、梅雨期には、図４に示す第３モードに設定を切り換えておくことで、湿度が高いと強くなるニオイの性質に着目した運転がなされて、湿度が閾値を越えたときは、換気ファン８が駆動停止状態を保持し、その保持状態において、循環ファン１２の駆動がニオイの汚染度とホコリの汚染度に応じて強弱切り換えられて循環ファン１２の駆動によってニオイとホコリが除去され、梅雨期で湿度が閾値を越えて高湿であっても、ニオイを効果的に除去することができる。なお、第３モードにおける湿度についての閾値は、例えば７０％に設定される。
【００２３】
以上に、本発明の実施形態を示したが、本発明はこれに限られるものではなく、発明思想を逸脱しない範囲で各種の変更が可能である。例えば、上記の実施形態では、室内空気清浄化システムに第１〜第３の３つの制御モードが備えられている場合を示したが、それ以外の制御モードが備えられていてもよいし、第１制御モードと第２制御モードとの２つ、あるいは、第１制御モードと第３制御モードとの２つを少なくとも備えたシステムに構成されていてもよい。また、本明細書では、第１制御モードの有無を問わず、第２制御モードと第３制御モードのいずれか一方又は両方を少なくとも備えた室内空気清浄化システムをも開示するものである。
【００２４】
また、上記の実施形態では、換気ファン８がオンかオフに切り換えられ、循環ファン１２が強か弱に切り換えられる場合を示しているが、本発明では、その文言表現にかかわらず、換気機構の運転状態の切換えが強弱のいずれかである場合をも含み、また、循環式空気清浄機構の運転状態の切換えがオンオフのいずれかである場合をも含む。
【００２５】
更に、換気機構や循環式空気清浄機構、センサー等の具体的構成についての制限はなく、各種構成のものが採用されてよい。
【００２６】
また、上記の実施形態では、第１、第２制御モードにおいて、ニオイが閾値を越え、ホコリが閾値内であるとき（ステップＳ７，Ｓ１５）の循環ファン１２の駆動を強とした場合を示しているが、その場合の循環ファン１２の駆動は弱であってもよいし、ステップＳ５等において、循環ファン１２の駆動が停止であるような場合などにおいては停止であってもよい。
【００２７】
また、第１制御モードのみのシステムであるなどの場合は、空気清浄フィルター１１は、ニオイを除去せず、あるいは、ニオイの除去能力が低い、ホコリ除去フィルターであってもよい。
【図面の簡単な説明】
【００２８】
【図１】実施形態の室内空気清浄化システムの構造説明図である。
【図２】第１の制御モードのフローチャート図である。
【図３】第２の冬期用制御モードのフローチャート図である。
【図４】第３の梅雨期用制御モードのフローチャート図である。
【図５】制御表である。
【符号の説明】
【００２９】
２…室内
８…換気ファン（室内換気機構）
１１…空気清浄フィルター（循環式空気清浄機構）
１２…循環ファン（循環式空気清浄機構）
１３…ニオイセンサー
１４…ホコリセンサー
１５…湿度センサー
１６…制御装置（制御手段）
１７…操作盤（切換え手段）
【図１】
2006097998.tif 000003
【図２】
2006097998.tif 000004
【図３】
2006097998.tif 000005
【図４】
2006097998.tif 000006
【図５】
2006097998.tif 000007